(57)【要約】  本開示は、上りリンクサウンディング参照信号（ＳＲＳ）送信方法、端末、ネットワーク側装置及び記憶媒体を提供する。この方法は、端末が、ネットワーク側の配置に基づいて、複数の基本パラメータを含む広帯域システムにおける上りリンクＳＲＳの送信動作を決定し、前記端末が、前記送信動作に従って、前記広帯域システムにおいてネットワーク側に上りリンクＳＲＳを送信することを含む。【選択図】      図２
2019532541.tif 000002
【特許請求の範囲】
【請求項１】
端末が、ネットワーク側の配置に基づいて、複数の基本パラメータを含む広帯域システムにおける上りリンクＳＲＳの送信動作を決定することと、
前記端末が、前記送信動作に従って、前記広帯域システムにおいてネットワーク側に上りリンクＳＲＳを送信することと、を含む
ことを特徴とする上りリンクサウンディング参照信号（ＳＲＳ）送信方法。
【請求項２】
請求項１に記載のＳＲＳ送信方法において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される
ことを特徴とするＳＲＳ送信方法。
【請求項３】
請求項１に記載のＳＲＳ送信方法において、
前記基本パラメータはサブキャリア間隔を含む
ことを特徴とするＳＲＳ送信方法。
【請求項４】
請求項１に記載のＳＲＳ送信方法において、
前記配置は、前記ネットワーク側で動的シグナリング、高レベルの準静的シグナリング、または暗黙的な方法によって設定されるものである
ことを特徴とするＳＲＳ送信方法。
【請求項５】
請求項１〜４のいずれか１項に記載のＳＲＳ送信方法において、
前記送信動作は、上りリンクＳＲＳが全帯域で送信されることであり、さらに
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末が、デフォルトで、複数の基本パラメータを含む帯域、１つの基本パラメータによる帯域、または複数の基本パラメータによる帯域で上りリンクＳＲＳを同時送信する、のうち１つまたは複数を含む
ことを特徴とするＳＲＳ送信方法。
【請求項６】
請求項１〜４のいずれか１項に記載のＳＲＳ送信方法において、
前記送信動作は、サブ帯域で上りリンクＳＲＳを送信することであり、サブ帯域のサイズがネットワーク側によって設定され、１つの基本パラメータによる帯域が１つまたは複数のサブ帯域を有する
ことを特徴とするＳＲＳ送信方法。
【請求項７】
請求項６に記載のＳＲＳ送信方法において、
前記送信動作は、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数をさらに含む
ことを特徴とするＳＲＳ送信方法。
【請求項８】
ネットワーク側装置が配置を端末に送信することにより、前記配置に基づいて、複数の基本パラメータを含む広帯域システムにおける上りリンクＳＲＳの送信動作を前記端末によって決定することと、
前記ネットワーク側装置が、前記広帯域システムにおいて前記端末によって前記送信動作に従って送信された上りリンクＳＲＳを受信することを含む
ことを特徴とする上りリンクサウンディング参照信号（ＳＲＳ）送信方法。
【請求項９】
請求項８に記載のＳＲＳ送信方法において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは、
上りリンクＳＲＳは、異なる周波数帯域位置において同じサブキャリア間隔を有する１つまたは複数の連続するサブキャリアに配置される
ことを特徴とするＳＲＳ送信方法。
【請求項１０】
請求項８に記載のＳＲＳ送信方法において、
前記基本パラメータはサブキャリア間隔を含む
ことを特徴とするＳＲＳ送信方法。
【請求項１１】
請求項８に記載のＳＲＳ送信方法において、
前記配置は、前記ネットワーク側装置で動的シグナリング、高レベルの準静的シグナリング、または暗黙的な方法によって設定されるものである
ことを特徴とするＳＲＳ送信方法。
【請求項１２】
請求項８〜１１のいずれか１項に記載のＳＲＳ送信方法において、
前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む
ことを特徴とするＳＲＳ送信方法。
【請求項１３】
請求項８〜１１のいずれか１項に記載のＳＲＳ送信方法において、
前記送信動作は、サブ帯域で上りリンクＳＲＳを送信することであり、サブ帯域のサイズがネットワーク側によって設定され、１つの基本パラメータによる帯域が１つまたは複数のサブ帯域を有する
ことを特徴とするＳＲＳ送信方法。
【請求項１４】
請求項１３に記載のＳＲＳ送信方法において、
前記送信動作は、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数をさらに含む
ことを特徴とするＳＲＳ送信方法。
【請求項１５】
ネットワーク側の配置に基づいて、複数の基本パラメータを含む広帯域システムにおける上りリンクＳＲＳの送信動作を決定する決定モジュールと、
前記送信動作に従って、前記広帯域システムにおいて上りリンクＳＲＳをネットワーク側に送信する送信モジュールとを備える
ことを特徴とする端末。
【請求項１６】
請求項１５に記載の端末において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは、
上りリンクＳＲＳは、異なる周波数帯域位置において同じサブキャリア間隔を有する１つまたは複数の連続するサブキャリアに配置される
ことを特徴とする端末。
【請求項１７】
請求項１５に記載の端末において、
前記基本パラメータはサブキャリア間隔を含む
ことを特徴とする端末。
【請求項１８】
請求項１５に記載の端末において、
前記配置は、前記ネットワーク側で動的シグナリング、高レベルの準静的シグナリング、または暗黙的な方法によって設定されるものである
ことを特徴とする端末。
【請求項１９】
請求項１５〜１８のいずれか１項に記載の端末において、
前記送信動作は、上りリンクＳＲＳが全帯域で送信されることであり、さらに
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む
ことを特徴とする端末。
【請求項２０】
請求項１５〜１８のいずれか１項に記載の端末において、
前記送信動作は、サブ帯域で上りリンクＳＲＳを送信することであり、サブ帯域のサイズがネットワーク側によって設定され、１つの基本パラメータによる帯域が１つまたは複数のサブ帯域を有する
ことを特徴とする端末。
【請求項２１】
請求項２０に記載の端末において、
前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む
ことを特徴とする端末。
【請求項２２】
配置を端末に送信することにより、前記配置に基づいて、複数の基本パラメータを含む広帯域システムにおける上りリンクＳＲＳの送信動作を前記端末によって決定する送信モジュールと、
前記広帯域システムにおいて前記端末によって前記送信動作に従って送信された上りリンクＳＲＳを受信する受信モジュールとを備える
ことを特徴とするネットワーク側装置。
【請求項２３】
請求項２２に記載のネットワーク側装置において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは、
上りリンクＳＲＳは、異なる周波数帯域位置において同じサブキャリア間隔を有する１つまたは複数の連続するサブキャリアに配置される
ことを特徴とするネットワーク側装置。
【請求項２４】
請求項２２に記載のネットワーク側装置において、
前記基本パラメータはサブキャリア間隔を含む
ことを特徴とするネットワーク側装置。
【請求項２５】
請求項２２に記載のネットワーク側装置において、
前記配置は、前記ネットワーク側装置で動的シグナリング、高レベルの準静的シグナリング、または暗黙的な方法によって設定されるものである
ことを特徴とするネットワーク側装置。
【請求項２６】
請求項２２〜２５のいずれか１項に記載のネットワーク側装置において、
前記送信動作は、上りリンクＳＲＳが全帯域で送信されることであり、さらに、
複数の基本パラメータを含む帯域で上りリンクＳＲＳを同時送信することを許可するか否かのこと、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む
ことを特徴とするネットワーク側装置。
【請求項２７】
請求項２２〜２５のいずれか１項に記載のネットワーク側装置において、
前記送信動作は、サブ帯域で上りリンクＳＲＳを送信することであり、サブ帯域のサイズがネットワーク側によって設定され、１つの基本パラメータによる帯域が１つまたは複数のサブ帯域を有する
ことを特徴とするネットワーク側装置。
【請求項２８】
請求項２７に記載のネットワーク側装置において、
前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む
ことを特徴とするネットワーク側装置。
【請求項２９】
プロセッサと、
前記プロセッサの制御下でデータを送受信するためのトランシーバとを備え、
前記プロセッサは、
ネットワーク側の配置に基づいて、複数の基本パラメータを含む広帯域システムにおける上りリンクサウンディング参照信号（ＳＲＳ）の送信動作を決定し、
前記送信動作に従って、前記広帯域システムにおいてネットワーク側に上りリンクＳＲＳを送信する
ことを特徴とする端末。
【請求項３０】
プロセッサと、
前記プロセッサの制御下でデータを送受信するためのトランシーバとを備え、
前記プロセッサは、
配置を端末に送信することにより、前記配置に基づいて、複数の基本パラメータを含む広帯域システムにおける上りリンクサウンディング参照信号（ＳＲＳ）の送信動作を前記端末によって決定し、
前記広帯域システムにおいて前記端末によって前記送信動作に従って送信された上りリンクＳＲＳを受信する
ことを特徴とするネットワーク側装置。
【請求項３１】
プロセッサによって実行可能なコンピュータ可読命令を格納するコンピュータ可読な不揮発性記憶媒体であって、前記コンピュータ可読命令がプロセッサによって実行されるときに、前記プロセッサは、
ネットワーク側の配置に基づいて、複数の基本パラメータを含む広帯域システムにおける上りリンクサウンディング参照信号（ＳＲＳ）の送信動作を決定し、
前記送信動作に従って、前記広帯域システムにおいてネットワーク側に上りリンクＳＲＳを送信する
ことを特徴とするコンピュータ可読な不揮発性記憶媒体。
【請求項３２】
プロセッサによって実行可能なコンピュータ可読命令を格納するコンピュータ可読な不揮発性記憶媒体であって、前記コンピュータ可読命令がプロセッサによって実行されるときに、前記プロセッサは、
配置を端末に送信することにより、前記配置に基づいて、複数の基本パラメータを含む広帯域システムにおける上りリンクサウンディング参照信号（ＳＲＳ）の送信動作を前記端末によって決定し、
前記広帯域システムにおいて前記端末によって前記送信動作に従って送信された上りリンクＳＲＳを受信する
ことを特徴とするコンピュータ可読な不揮発性記憶媒体。
【発明の詳細な説明】
【技術分野】
【０００１】
本出願は、２０１６年８月１２日に中国知識産権局に提出された中国特許出願番号２０１６１０６６３２９１．１の優先権を主張するものであり、その内容は全て参照により組み込まれる。
本開示は、通信技術の分野に関し、特に上りリンクサウンディング参照信号（Ｓｏｕｎｄｉｎｇ Ｒｅｆｅｒｅｎｃｅ Ｓｙｍｂｏｌ、ＳＲＳ） 送信方法、端末、ネットワーク側装置及び記憶媒体に関する。
【背景技術】
【０００２】
移動体通信システムでは、サブキャリア間隔は、通常、１５ｋＨｚに固定されており、１つのサブフレーム（特別サブフレームを除く）には１４個のシンボルが含まれている。上りサブフレームのうちの最後のシンボルは、上りリンクＳＲＳを送信するために使用されることができ、また、特別サブフレームの上りパイロットタイムスロット（Ｕｐｌｉｎｋ Ｐｉｌｏｔ Ｔｉｍｅ Ｓｌｏｔ，ＵｐＰＴＳ）における１つまたは複数のシンボルは、上りリンクＳＲＳを送信するために使用されることができる。端末は、１つのサブ帯域で上りリンクＳＲＳを送信することができ、この場合、端末は、毎回異なるサブ帯域、すなわち周波数ホッピングで上りリンクＳＲＳを送信する。例えば、システムが２０ＭＨｚ帯域幅であり、ＳＲＳ帯域幅が５ＭＨｚである場合、端末は異なるサブ帯域でＳＲＳを４回送信することにより１つのサイクルを完成する。あるいは、端末は、全帯域で上りリンクＳＲＳを送信し、すなわち、端末は、２０ＭＨｚの帯域幅でＳＲＳを周期的に送信する。しかしながら、現在の端末が上りリンクＳＲＳを送信するのは十分に柔軟ではない。
【発明の概要】
【０００３】
この開示の目的は、上りリンクＳＲＳ送信方法、端末およびネットワーク側装置を提供することであり、端末による上りリンクＳＲＳの送信に十分な柔軟性がないという問題を解決する。
【０００４】
上記の目的を達成するために、本開示の実施形態は、
端末が、ネットワーク側の配置に基づいて、複数の基本パラメータを含む広帯域システムにおける上りリンクＳＲＳの送信動作を決定ことと、
前記端末が、前記送信動作に従って、前記広帯域システムにおいてネットワーク側に上りリンクＳＲＳを送信することと、を含む
上りリンクサウンディング参照信号（ＳＲＳ） 送信方法を提供する。
【０００５】
オプションとして、前記端末が、前記送信動作に従って、前記広帯域システムにおいてネットワーク側に上りリンクＳＲＳを送信することは、
前記端末が、前記送信動作に従って、前記広帯域システムの１つまたは複数のシンボルにて上りリンクＳＲＳをネットワーク側に送信することを含む。
【０００６】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【０００７】
オプションとして、前記基本パラメータはサブキャリア間隔を含む。
【０００８】
オプションとして、前記配置は、前記ネットワーク側で動的シグナリング、高レベルの準静的シグナリング、または暗黙的な方法によって設定されるものである。
【０００９】
オプションとして、前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【００１０】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００１１】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【００１２】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【００１３】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【００１４】
本開示の実施形態はさらに、
ネットワーク側装置が配置を端末に送信することにより、前記配置に基づいて、複数の基本パラメータを含む広帯域システムにおける上りリンクＳＲＳの送信動作を前記端末によって決定することと、
前記ネットワーク側装置が、前記広帯域システムにおいて前記端末によって前記送信動作に従って送信された上りリンクＳＲＳを受信することを含む上りリンクＳＲＳ送信方法を提供する。
【００１５】
オプションとして、前記ネットワーク側装置が、広帯域システムにおいて前記端末によって送信動作に従って送信された上りリンクＳＲＳを受信することは、
前記ネットワーク側装置は、前記端末によって前記送信動作に従って前記広帯域システムの１つまたは複数のシンボルにて送信された上りリンクＳＲＳを受信することを含む。
【００１６】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【００１７】
オプションとして、前記基本パラメータはサブキャリア間隔を含む。
【００１８】
オプションとして、前記配置は、前記ネットワーク側で動的シグナリング、高レベルの準静的シグナリング、または暗黙的な方法によって設定されるものである。
【００１９】
オプションとして、前記送信動作は、上りリンクＳＲＳが全帯域で送信されることであり、さらに
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【００２０】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信ることを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００２１】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
そのうち、前記複数の帯域における上りリンクＳＲＳのシーケンスは同じでも異なっていてもよい。
【００２２】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【００２３】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【００２４】
本開示の実施形態はさらに、
ネットワーク側の配置に基づいて、複数の基本パラメータを含む広帯域システムにおける上りリンクＳＲＳの送信動作を決定する決定モジュールと、
前記送信動作に従って、前記広帯域システムにおいて上りリンクＳＲＳをネットワーク側に送信する送信モジュールとを備える
端末を提供する。
【００２５】
オプションとして、前記送信モジュールは、前記送信動作に従って、前記広帯域システムの１つまたは複数のシンボルにて上りリンクＳＲＳをネットワーク側に送信する。
【００２６】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【００２７】
オプションとして、前記基本パラメータはサブキャリア間隔を含む。
【００２８】
オプションとして、前記配置は、前記ネットワーク側で動的シグナリング、高レベルの準静的シグナリング、または暗黙的な方法によって設定されるものである。
【００２９】
オプションとして、前記配置は、前記ネットワーク側で動的シグナリング、高レベルの準静的シグナリング、または暗黙的な方法によって設定されるものである。
【００３０】
オプションとして、前記送信動作は、上りリンクＳＲＳが全帯域で送信されることであり、かつさらに
複数の基本パラメータを含む帯域で上りリンクＳＲＳを同時送信することを許可するか否かのことと、
上りリンクＳＲＳを１つの基本パラメータのみによる帯域で送信することを許可することと、
上りリンクＳＲＳを複数の基本パラメータによる帯域で送信することを許可することと、
前記端末は、デフォルトで、複数の基本パラメータを含む帯域、１つの基本パラメータによる帯域、または複数の基本パラメータによる帯域で上りリンクＳＲＳを同時送信することと、のうちの１つまたは複数を含む。
【００３１】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００３２】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
そのうち、前記複数の帯域における上りリンクＳＲＳのシーケンスは同じでも異なっていてもよい。
【００３３】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【００３４】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【００３５】
本開示の実施形態はさらに、
配置を端末に送信することにより、前記配置に基づいて、複数の基本パラメータを含む広帯域システムにおける上りリンクＳＲＳの送信動作を前記端末によって決定する送信モジュールと
前記広帯域システムにおいて前記端末によって前記送信動作に従って送信された上りリンクＳＲＳを受信する受信モジュールとを備える
ネットワーク側装置を提供する。
【００３６】
オプションとして、前記受信モジュールは、前記端末によって前記送信動作に従って前記広帯域システムの１つまたは複数のシンボルにて送信された上りリンクＳＲＳを受信する。
【００３７】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【００３８】
オプションとして、前記基本パラメータはサブキャリア間隔を含む。
【００３９】
オプションとして、前記配置は、前記ネットワーク側で動的シグナリング、高レベルの準静的シグナリング、または暗黙的な方法によって設定されるものである。
【００４０】
オプションとして、前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【００４１】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００４２】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
そのうち、前記複数の帯域における上りリンクＳＲＳのシーケンスは同じでも異なっていてもよい。
【００４３】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【００４４】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【００４５】
本開示の実施形態はさらに、
プロセッサと、
前記プロセッサの制御下でデータを送受信するためのトランシーバとを備え、
前記プロセッサは、
ネットワーク側の配置に基づいて、複数の基本パラメータを含む広帯域システムにおける上りリンクサウンディング参照信号（ＳＲＳ）の送信動作を決定し、
前記送信動作に従って、前記広帯域システムにおいてネットワーク側に上りリンクＳＲＳを送信する
端末を提供する。
【００４６】
本開示の実施形態はさらに、
プロセッサと、
前記プロセッサの制御下でデータを送受信するためのトランシーバとを備え、
前記プロセッサは、
配置を端末に送信することにより、前記配置に基づいて、複数の基本パラメータを含む広帯域システムにおける上りリンクサウンディング参照信号（ＳＲＳ）の送信動作を前記端末によって決定し、
前記広帯域システムにおいて前記端末によって前記送信動作に従って送信された上りリンクＳＲＳを受信する
ネットワーク側装置を提供する。
【００４７】
本開示の実施形態はさらに、
プロセッサによって実行可能なコンピュータ可読命令を格納するコンピュータ可読な不揮発性記憶媒体を提供し、前記コンピュータ可読命令がプロセッサによって実行されるときに、前記プロセッサは次の操作を実行する。
ネットワーク側の配置に基づいて、複数の基本パラメータを含む広帯域システムにおける上りリンクサウンディング参照信号（ＳＲＳ）の送信動作を決定し、
前記送信動作に従って、前記広帯域システムにおいてネットワーク側に上りリンクＳＲＳを送信する。
【００４８】
本開示の実施形態はさらに、
プロセッサによって実行可能なコンピュータ可読命令を格納するコンピュータ可読な不揮発性記憶媒体を提供し、前記コンピュータ可読命令がプロセッサによって実行されるときに、前記プロセッサは次の操作を実行する。
配置を端末に送信することにより、前記配置に基づいて、複数の基本パラメータを含む広帯域システムにおける上りリンクサウンディング参照信号（ＳＲＳ）の送信動作を前記端末によって決定し、
前記広帯域システムにおいて前記端末によって前記送信動作に従って送信された上りリンクＳＲＳを受信する。
【００４９】
本開示の上記の技術的方案は、少なくとも以下の有益な効果を有する。
本開示の実施形態は、端末が、ネットワーク側の配置に基づいて、複数の基本パラメータを含む広帯域システムにおける上りリンクＳＲＳの送信動作を決定し、前記端末が、前記送信動作に従って、前記広帯域システムにおいてネットワーク側に上りリンクＳＲＳを送信する。これにより、複数の基本パラメータを含む広帯域システムにおいて、ネットワーク側の配置に応じて上りリンクＳＲＳを柔軟に伝送することができる。
【図面の簡単な説明】
【００５０】
【図１】図１は、本開示の実施形態に適用可能なネットワーク構造の概略図である。
【図２】図２は、本開示の実施形態による上りリンクＳＲＳを送信するための方法の概略流れ図である。
【図３】図３は、本開示の実施形態による広帯域システムのサブキャリア間隔の概略図である。
【図４】図４は、本開示の実施形態による別の上りリンクＳＲＳ送信方法の概略流れ図である。
【図５】図５は、本開示の実施形態による端末の概略構造図である。
【図６】図６は、本開示の実施形態によるネットワーク側装置の概略構造図である。
【図７】図７は、本開示の実施形態による別の端末の概略構造図である。
【図８】図８は、本開示の実施形態による別のネットワーク側装置の概略構造図である。
【発明を実施するための形態】
【００５１】
本発明の技術的問題、技術的方案、および利点は、添付の図面および特定の実施形態と併せてより明確に説明される。
【００５２】
図１を参照する。図１は、本開示の実施形態に適用することができるネットワークの概略構造図であり、図１に示すように、端末１１はユーザ機器（Ｕｓｅｒ Ｅｑｕｉｐｍｅｎｔ、ＵＥ）、例えば、携帯電話、タブレットＰＣ（Ｔａｂｌｅｔ Ｐｅｒｓｏｎａｌ Ｃｏｍｐｕｔｅｒ）、ラップトップコンピュータ（Ｌａｐｔｏｐ Ｃｏｍｐｕｔｅｒ）、パーソナルデジタルアシスタント（ｐｅｒｓｏｎａｌ ｄｉｇｉｔａｌ ａｓｓｉｓｔａｎｔ、ＰＤＡ）、モバイルインターネットデバイス（Ｍｏｂｉｌｅ Ｉｎｔｅｒｎｅｔ Ｄｅｖｉｃｅ、ＭＩＤ）、またはウェアラブルデバイス（Ｗｅａｒａｂｌｅ Ｄｅｖｉｃｅ）とすることができる。端末１１の具体的な種類は本開示の実施形態において限定されないことに留意されたい。端末１１は、ネットワーク側装置１２と通信を確立することができ、図中のネットワークとは、端末１１が基地局であるネットワーク側装置１２と無線で通信を確立することを示す。基地局はＬＴＥ ｅＮＢ、５Ｇ ＮＲ ＮＢなどのマクロ局であってもよいし、低電力ノード（ＬＰＮ：Ｌｏｗ Ｐｏｗｅｒ ｎｏｄｅ）ピコ、フェムト等のような小型ステーション、又はアクセスポイント（ＡＰ：ａｃｃｅｓｓ  ｐｏｉｎｔ）でもよく、さらに、ネットワーク側装置１２は中央ユニット（ＣＵ：ｃｅｎｔｒａｌ  ｕｎｉｔ）と、それによって管理および制御される複数の送受信ポイント（ＴＲＰ：Ｔｒａｎｓｍｉｓｓｉｏｎ  Ｒｅｃｅｐｔｉｏｎ  Ｐｏｉｎｔ）とから構成されるネットワークノードであってもよい。さらに、１つの基地局の下に１つまたは複数のセル（たとえば、異なる周波数ポイントまたはセクタ区分）がある。なお、本開示の実施形態において、ネットワーク側装置１２の具体的な種類は限定されない。
【００５３】
図２を参照する。図２に示されるように、本開示の実施形態は、
２０１．端末が、ネットワーク側の配置に基づいて、複数の基本パラメータを含む広帯域システムにおける上りリンクＳＲＳの送信動作を決定することと、
２０２．端末が、前記送信動作に従って、前記広帯域システムにおいてネットワーク側に上りリンクＳＲＳを送信することを含む
上りリンクＳＲＳ送信方法を提供する。
【００５４】
前記広帯域システムが異なる基本パラメータを含むとは、この広帯域システムにおいてある帯域の基本パラメータが異なるものと理解されてもい。また、上記基本パラメータは、広帯域システムにおける基本信号パラメータ、例えば、サブキャリア間隔であり、例えば、広帯域システムの一部は、サブキャリア間隔がＮＨｚの信号で構成され、他の一部はサブキャリア間隔がＭＨｚの信号で構成され、かつサブキャリア間隔が異なるためシンボル長が異なる。
【００５５】
また、前記端末が前記配置に基づいて上りリンクＳＲＳの送信動作を決定することは、前記配置によって上りリンクＳＲＳの送信動作が全て指示されることにより、該配置に基づいて、上りリンクＳＲＳの送信動作を端末によって直接に決定するようにしてもよい。あるいは、前記端末が前記配置に基づいて上りリンクＳＲＳの送信動作を決定することは、前記配置によって上りリンクＳＲＳの送信動作の一部が指示され、端末が該配置および端末自体のパラメータに基づいて、上りリンクＳＲＳの送信動作を決定するようにしてもよい。例えば、全帯域で上りリンクＳＲＳを送信するように配置によって指示されたが、端末は、デフォルトで、１つまたは複数の基本パラメータを含む周波数帯域で上りリンクＳＲＳを同時に送信する。
【００５６】
上りリンクＳＲＳの送信動作が決定された後、端末は、前記広帯域システムにおいて、送信動作に従って上りリンクＳＲＳを送信することができる。上りリンクＳＲＳの送信は周期的に実施することができる。以上のステップにより、複数の基本パラメータを含む広帯域システムにおいて、ネットワーク側の配置に応じて上りリンクＳＲＳを柔軟に送信することができる。もちろん、ここでの配置とは、端末がネットワーク側の制御下で上りリンクＳＲＳを柔軟に送信することとしても理解することができる。
【００５７】
オプションとして、前記端末が、前記送信動作に従って、前記広帯域システムにおいてネットワーク側に上りリンクＳＲＳを送信することは、
前記端末が、前記送信動作に従って、前記広帯域システムの１つまたは複数のシンボルにて上りリンクＳＲＳをネットワーク側に送信することを含む。
【００５８】
この実施形態では、端末は、上りリソースの１つまたは複数のシンボルで上りリンクＳＲＳを送信するように構成されることができる。上りリンクＳＲＳを送信するためのシンボルは、ネットワーク側で設定されるか、または端末とネットワーク側とが事前に交渉したものであってもよく、これはこの実施形態では限定されない。
【００５９】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【００６０】
上りリンクＳＲＳが異なる周波数帯域位置において同じサブキャリア間隔を有することは、すべての周波数帯域位置において同じサブキャリア間隔を有することに限定されず、上りリンクＳＲＳは、いくつかの周波数帯域位置で同じサブキャリア間隔を有し、つまり、一部の周波数帯域位置で同じサブキャリア間隔を有しても良い。上りリンクＳＲＳが異なる周波数帯域位置において異なるサブキャリア間隔を有することは、周波数帯域位置ごとにおいて異なるサブキャリア間隔を有することに限定されず、上りリンクＳＲＳは、一部の周波数帯域位置で異なるサブキャリア間隔を有するようにしてもよい。例えば、図３に示すように、上りリンクＳＲＳは、いくつかの周波数帯域位置においてサブキャリア間隔が同じであり、他の周波数帯域位置においてサブキャリア間隔が異なっている。この実施形態では、上りリンクＳＲＳが送信される際に、具体的に図３に示すように、上りリンクＳＲＳは、異なる周波数帯域におけるサブキャリア間隔が同じであるかあるいは異なっており、かつサブキャリア間隔が同じである１つまたは複数の連続するサブキャリアに位置する。
【００６１】
オプションとして、前記基本パラメータはサブキャリア間隔を含む。
【００６２】
この実施形態では、上記の広帯域システムは、たとえば図３に示すように、複数のサブキャリア間隔を有する広帯域システムであることができる。もちろん、本開示の実施形態において、前記基本パラメータはサブキャリア間隔に限定されず、タイムスロットの長さなどの他の基本パラメータであることができる。本開示の実施形態はこれに限定されない。
【００６３】
オプションとして、前記配置は、前記ネットワーク側で動的シグナリング、高レベルの準静的シグナリング、または暗黙的な方法によって設定されるものである。
【００６４】
この実施形態では、前記配置は、前記動的シグナリング、高レベルの準静的シグナリング、または暗黙的な方法によって実現されてもよい。暗黙的な方法の場合、暗黙的シグナリングによって前記配置を実現するものとして理解することができる。例えば、１つの基本パラメータのみ（例えば、サブキャリア間隔）か、あるいは複数の基本パラメータかに基づいてＳＲＳの帯域幅をネットワーク側で設定したことに基づいて、端末では、複数の基本パラメータ（例えば、サブキャリア間隔）を含む帯域で上りリンクＳＲＳを同時送信するかどうかを決定する。また例えば、ネットワーク側は、サブ帯域のサイズおよび周波数ホッピング範囲を設定して、端末による上りリンクサウンディング信号の送信を特定の周波数帯域に制限することにより、端末で、基本パラメータが異なる複数の周波数帯域間で、周波数ホッピングして上りリンクＳＲＳを送信ことができるかどうかを設定するようにする。
【００６５】
オプションとして、前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【００６６】
前記複数の基本パラメータを含む周波数帯域は、この周波数帯域内に複数の基本パラメータを含むと理解されることができ、例えば、１つの周波数帯域に複数のサブキャリア間隔が含まれる。前記１つの基本パラメータによる周波数帯域は、１種類の基本パラメータだけを含む複数の周波数帯域、または１種類の基本パラメータだけ、かつ同じ基本パラメータを有する複数の周波数帯域と理解することができる。前記上りリンクＳＲＳを１つの基本パラメータのみによる帯域で送信することを許可することは、１種の基本パラメータだけを含み、かつ１つの特定の基本パラメータを有する複数の帯域で上りリンクＳＲＳを送信することを許可し、この特定の基本パラメータがネットワーク側で設定されるものであることを含む。あるいは、前記上りリンクＳＲＳを１つの基本パラメータのみによる帯域で送信することを許可することは、１種の基本パラメータだけを有する複数の帯域で上りリンクＳＲＳを送信することを許可することを含む。
【００６７】
前記複数の基本パラメータによる帯域は、基本パラメータが異なる複数の帯域と理解されることができ、前記上りリンクＳＲＳを複数の基本パラメータによる帯域で送信することを許可することは、基本パラメータが異なる帯域で上りリンクＳＲＳを送信することを許可することを含む。
【００６８】
この実施形態では、全帯域で上りリンクＳＲＳを送信することと、複数の基本パラメータを含む帯域で上りリンクＳＲＳを送信することを許可するか否かのことと、１つの基本パラメータのみによる帯域で上りリンクＳＲＳを送信することを許可することと、複数の基本パラメータによる帯域で上りリンクＳＲＳを送信することを許可することは、ネットワーク側で設定することができ、例えば、ネットワーク側は、動的シグナリング、高レベルの準静的シグナリング、または暗黙的方法によって設定する。ある場合に、上りリンクＳＲＳが１つの基本パラメータのみによる周波数帯域で送信することと、複数の基本パラメータを含む周波数帯域で送信することは、端末自体によって決定されることもできるが、本開示の実施形態ではこれに限定されない。
【００６９】
なお、前記端末がデフォルトで複数の基本パラメータを含む帯域、１つの基本パラメータによる帯域、または複数の基本パラメータによる帯域で上りリンクＳＲＳを同時送信することは、上りリンクＳＲＳが前記端末によって、デフォルトで複数の基本パラメータを有する帯域で送信されるか、デフォルトで１つの基本パラメータによる帯域で同時送信されるか、またはデフォルトで複数の基本パラメータを有する帯域で同時送信されることである。このデフォルトとは、ネットワーク側での設定を要らず、端末によって予め設定されたものと理解することができる。
【００７０】
オプションとして、この実施形態では、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００７１】
前記上りリンクＳＲＳを基本パラメータが同じである複数の帯域で同時にまたは異なる時間で送信することを許可することは、基本パラメータが１つの特定の基本パラメータである複数の帯域で同時または異なる時間で上りリンクＳＲＳを送信することを許可することを含む。例えば、システムにおいて、基本パラメータ（例えば、サブキャリア間隔）が同じである２つの周波数帯域があり、端末が全帯域でＳＲＳを送信するように配置された場合、２つの周波数帯域で上りリンクＳＲＳを同時に送信するか、または上りリンクＳＲＳを２つの異なる時間で送信するように構成される。上りリンクサウンディング信号が同時に送信されない場合、上りリンクＳＲＳの複数回送信の時間関係は、システムデフォルトであるかまたはネットワーク側シグナリングで通知されるものである。
【００７２】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【００７３】
そのうち、前記上りリンクＳＲＳを基本パラメータが異なる複数の帯域で同時にまたは異なる時間で送信することを許可することは、上りリンクＳＲＳをすべての帯域で同時または異なる時間で送信することを許可することを含む。例えば、システムにおいて、信号パラメータ（例えば、サブキャリア間隔）が異なる２つの周波数帯域があり、端末が全帯域でＳＲＳを送信するように配置された場合、２つの周波数帯域で上りリンクＳＲＳを同時に送信するか、または上りリンクＳＲＳを２つの異なる時間で送信するように構成される。上りリンクサウンディング信号が同時に送信されない場合、上りリンクＳＲＳの複数回送信の時間関係は、システムデフォルトであるかまたはネットワーク側シグナリングで通知されるものである。
【００７４】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【００７５】
この実施形態では、ネットワーク側の配置に従って、サブ帯域で上りリンクＳＲＳを送信することができ、サブ帯域のサイズがネットワーク側によって設定される。また、前記１つの基本パラメータによる帯域が１つまたは複数のサブ帯域を有することは、いずれかの基本パラメータによる帯域には１つまたは複数の帯域が含まれており、かつ異なる基本パラメータによる帯域には同じまたは異なるサブ帯域が含まれることとして理解することができる、
【００７６】
また、この実施形態では、上りリンクＳＲＳを周期的に送信するとともに、送信が行われるたびに周波数ホッピングを行う、すなわち上りリンクＳＲＳを送信するためのサブ帯域を毎回異ならせるようにしてもよい。
【００７７】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【００７８】
この実施形態では、基本パラメータが異なる複数の周波数帯域間で周波数ホッピングして上りリンクＳＲＳを送信することをネットワーク側で許可しなくてもよい。例えば、複数の基本パラメータ（例えば、サブキャリア間隔）の周波数帯域間の周波数ホッピングについて、ネットワーク側から許可または禁止を、動的シグナリングまたは高レベル準静的シグナリングを介して、または暗黙的な方法で端末に通知することができる。例えば、サブ帯域のサイズおよび周波数ホッピング範囲をネットワーク側で設定することによって、端末が特定の周波数帯域で上りリンクサウンディング信号を送信することを制限することができる。 また、動的シグナリング、高レベルの準静的シグナリングまたは暗黙的な方法によって、基本パラメータが同じである複数の周波数帯域間で周波数ホッピングして上りリンクＳＲＳを送信するかどうかを設定することができる。
【００７９】
なお、前記の複数の実施形態は、互いに組み合わせて実施してもよいし、別々に実施してもよい。本開示の実施形態はこれに限定されない。さらに、前記ネットワーク側での前記配置は、上記端末の実際の状況または広帯域システムにおける実際の状況に従って柔軟に実施することができる。
【００８０】
本開示の実施形態では、端末は、ネットワーク側の配置に従って、複数の基本パラメータを含む広帯域システムにおける上りリンクＳＲＳの送信動作を決定し、前記送信動作に従って、広帯域システムにおいてネットワーク側に上りリンクＳＲＳを送信することができる。これにより、複数の基本パラメータを含む広帯域システムにおいて、ネットワーク側の配置に応じて上りリンクＳＲＳを柔軟に送信することが可能となる。
【００８１】
図４を参照すると、本開示の実施形態は、図４に示すように、
４０１．ネットワーク側装置が配置を端末に送信することにより、前記配置に基づいて、複数の基本パラメータを含む広帯域システムにおける上りリンクＳＲＳの送信動作を前記端末によって決定することと、
４０２．前記ネットワーク側装置が、前記広帯域システムにおいて前記端末によって前記送信動作に従って送信された上りリンクＳＲＳを受信することを含む
上りリンクＳＲＳ送信方法を提供する。
なお、前記配置は、１つまたは複数のステップ、または１つまたは複数のシグナリングによって前述の端末に対して、設定することができる。
【００８２】
オプションとして、前記ネットワーク側装置が、広帯域システムにおいて前記端末によって送信動作に従って送信された上りリンクＳＲＳを受信することは、
前記ネットワーク側装置は、前記端末によって前記送信動作に従って前記広帯域システムの１つまたは複数のシンボルにて送信された上りリンクＳＲＳを受信することを含む。
【００８３】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【００８４】
オプションとして、前記基本パラメータはサブキャリア間隔を含む。
【００８５】
オプションとして、前記配置は、前記ネットワーク側で動的シグナリング、高レベルの準静的シグナリング、または暗黙的な方法によって設定されるものである。
【００８６】
オプションとして、前記送信動作は、上りリンクＳＲＳが全帯域で送信されることであり、さらに
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【００８７】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００８８】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【００８９】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【００９０】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
または、複数の帯域間で周波数ホッピングするときに上りリンクＳＲＳのシーケンスが同じまたは異なる、のうちの１つまたは複数を含む。
【００９１】
なお、本実施形態におけるネットワーク側装置は、図２に示す実施形態におけるネットワーク側装置とすることができ、具体的には、図２に示す実施形態の関連説明を参照することができるので、繰り返しの説明を避けるために、ここで省略する。この実施形態では、システム情報によるオーバーヘッドの削減も達成することができる。
【００９２】
図５を参照すると、端末の構造が示されており、端末５００は図５に示すように、
ネットワーク側の配置に基づいて、複数の基本パラメータを含む広帯域システムにおける上りリンクＳＲＳの送信動作を決定する決定モジュール５０１と、
前記送信動作に従って、前記広帯域システムにおいて上りリンクＳＲＳをネットワーク側に送信する送信モジュール５０２とを備える。
【００９３】
オプションとして、前記送信モジュール５０２は、前記送信動作に従って、前記広帯域システムの１つまたは複数のシンボルにて上りリンクＳＲＳをネットワーク側に送信する。
【００９４】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【００９５】
オプションとして、前記基本パラメータはサブキャリア間隔を含む。
【００９６】
オプションとして、前記配置は、前記ネットワーク側で動的シグナリング、高レベルの準静的シグナリング、または暗黙的な方法によって設定されるものである。
【００９７】
オプションとして、前記送信動作は、上りリンクＳＲＳが全帯域で送信されることであり、かつさらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【００９８】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【００９９】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【０１００】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【０１０１】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【０１０２】
なお、本実施形態では、前記端末５００は、本開示の方法による実施形態における任意の端末とすることができ、本開示の方法による実施形態における任意の端末は、この端末５００によって実装することができる。同じ有益な効果が達成され、詳細はここでは再度説明されない。
【０１０３】
図６を参照すると、ネットワーク側装置の構造が示されており、ネットワーク側装置６００は、
配置を端末に送信することにより、前記配置に基づいて、複数の基本パラメータを含む広帯域システムにおける上りリンクＳＲＳの送信動作を前記端末によって決定する送信モジュール６０１と、
前記広帯域システムにおいて前記端末によって前記送信動作に従って送信された上りリンクＳＲＳを受信する受信モジュール６０２とを備える。
【０１０４】
オプションとして、前記受信モジュール６０２は、前記端末によって前記送信動作に従って前記広帯域システムの１つまたは複数のシンボルにて送信された上りリンクＳＲＳを受信する。
【０１０５】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【０１０６】
オプションとして、前記基本パラメータはサブキャリア間隔を含む。
【０１０７】
オプションとして、前記配置は、前記ネットワーク側で動的シグナリング、高レベルの準静的シグナリング、または暗黙的な方法によって設定されるものである。
【０１０８】
オプションとして、前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【０１０９】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【０１１０】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【０１１１】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【０１１２】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【０１１３】
なお、本実施形態では、前記ネットワーク側装置６００は、本開示の方法による実施形態における任意のネットワーク側装置とすることができ、本開示の方法による実施形態における任意のネットワーク側装置は、このネットワーク側装置６００によって実装することができる。同じ有益な効果が達成され、詳細はここでは再度説明されない。
【０１１４】
図７を参照すると、端末の構造が示されており、この端末は、プロセッサ７００、トランシーバ７１０、メモリ７２０、ユーザインタフェース７３０、およびバスインタフェースを備える。
プロセッサ７００は、メモリ７２０内のプログラムを読み取り、
ネットワーク側の配置に基づいて、複数の基本パラメータを含む広帯域システムにおける上りリンクＳＲＳの送信動作を決定し、
前記送信動作に従って、前記広帯域システムにおいてネットワーク側に上りリンクＳＲＳをトランシーバ７１０によって送信する。
トランシーバ７１０は、プロセッサ７００の制御でデータを送受信する。
【０１１５】
図７では、バス構成は、任意の数の相互接続されたバスおよびブリッジを含み、具体的には、セッサ７００を代表とする１つまたは複数のプロセッサおよびメモリ７２０を代表とするメモリの様々な回路が接続される。バス構成は、本技術分野で周知のように、周辺機器、電圧調整器、および電力管理回路などの他の様々な回路を接続することもできる。したがって、本明細書ではこれ以上説明しない。バスインタフェースはインタフェースを提供する。トランシーバ７１０は、送信媒体で他の様々なデバイスと通信するための手段を提供する、送信機および受信機を含む複数の構成要素とすることができる。異なるユーザ機器に対して、ユーザインタフェース７３０は、キーパッド、ディスプレイ、スピーカ、マイクロフォン、ジョイスティックなどの必要な装置を内部または外部接続することができるが、これらに限定されない。
プロセッサ７００は、バス構成および一般的な処理を管理し、メモリ７２０は、動作を実行する際にプロセッサ７００によって使用されるデータを格納することができる。
【０１１６】
オプションとして、前記送信動作に従って前記広帯域システムにおいてネットワーク側に上りリンクＳＲＳをトランシーバ７１０によって送信することは、
前記端末が、前記送信動作に従って、前記広帯域システムの１つまたは複数のシンボルにて上りリンクＳＲＳをトランシーバ７１０によってネットワーク側に送信することを含む。
【０１１７】
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【０１１８】
オプションとして、前記基本パラメータはサブキャリア間隔を含む。
【０１１９】
オプションとして、前記配置は、前記ネットワーク側で動的シグナリング、高レベルの準静的シグナリング、または暗黙的な方法によって設定されるものである。
【０１２０】
オプションとして、前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【０１２１】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【０１２２】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【０１２３】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【０１２４】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【０１２５】
なお、本実施形態では、前記端末は、本開示の方法による実施形態における任意の端末とすることができ、本開示の方法による実施形態における任意の端末は、この端末によって実装することができる。同じ有益な効果が達成され、詳細はここでは再度説明されない。
【０１２６】
図８を参照すると、ネットワーク側装置の構造が示されており、このネットワーク側装置は、プロセッサ８００、トランシーバ８１０、メモリ８２０、ユーザインタフェース８３０、およびバスインタフェースを備える。
プロセッサ８００は、メモリ８２０内のプログラムを読み取り、
トランシーバ８１０によって配置を端末に送信することにより、前記配置に基づいて、複数の基本パラメータを含む広帯域システムにおける上りリンクサウンディング参照信号（ＳＲＳ）の送信動作を前記端末によって決定し、
前記広帯域システムにおいて前記端末によって前記送信動作に従って送信された上りリンクＳＲＳをトランシーバ８１０によって受信する。
なお、トランシーバ８１０は、プロセッサ８００の制御で、送受信する。
【０１２７】
図８では、バス構成は、任意の数の相互接続されたバスおよびブリッジを含み、具体的には、プロセッサ８００を代表とする１つまたは複数のプロセッサおよびメモリ８２０を代表とするメモリの様々な回路が接続される。バス構成は、本技術分野で周知のように、周辺機器、電圧調整器、および電力管理回路などの他の様々な回路を接続することもできる。したがって、本明細書ではこれ以上説明しない。バスインタフェースはインタフェースを提供する。トランシーバ８１０は、送信媒体で他の様々なデバイスと通信するための手段を提供する、送信機および受信機を含む複数の構成要素とすることができる。異なるユーザ機器に対して、ユーザインタフェース８３０は、キーパッド、ディスプレイ、スピーカ、マイクロフォン、ジョイスティックなどの必要な装置を内部または外部接続することができるが、これらに限定されない。
プロセッサ８００は、バス構成および一般的な処理を管理し、メモリ８２０は、動作を実行する際にプロセッサ８００によって使用されるデータを格納することができる。
【０１２８】
オプションとして、前記広帯域システムにおいて前記端末によって前記送信動作に従って送信された上りリンクＳＲＳを受信することは、
前記端末によって前記送信動作に従って前記広帯域システムの１つまたは複数のシンボルにて送信された上りリンクＳＲＳを受信することを含む。
オプションとして、上りリンクＳＲＳは、異なる周波数帯域位置において同じサブキャリア間隔を有する、あるいは
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される。
【０１２９】
オプションとして、前記基本パラメータはサブキャリア間隔を含む。
【０１３０】
オプションとして、前記配置は、前記ネットワーク側で動的シグナリング、高レベルの準静的シグナリング、または暗黙的な方法によって設定されるものである。
【０１３１】
オプションとして、前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
または、前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含む。
【０１３２】
オプションとして、前記上りリンクＳＲＳを１つの基本パラメータのみによる帯域で送信することを許可することは、
上りリンクＳＲＳを基本パラメータが同じである複数の帯域で同時にまたは異なる時間で送信することを許可し、異なる時間で送信する場合、前記複数の帯域で上りリンクＳＲＳを送信するための時間関係はシステムデフォルトであるかまたは前記ネットワーク側シグナリングで通知されることを含む。
そのうち、前記複数の帯域における上りリンクＳＲＳのシーケンスは同じでも異なっていてもよい。
【０１３３】
オプションとして、前記上りリンクＳＲＳを複数の基本パラメータによる帯域で送信することを許可することは、
上りリンクＳＲＳを基本パラメータが異なる複数の帯域で同時または異なる時間で送信することを許可し、異なる時間で送信する場合、前記複数の帯域で上りリンクＳＲＳを送信する時間関係は、システムデフォルトであるかまたは前記ネットワーク側シグナリングで通知されることを含む。
複数の帯域における上りリンクＳＲＳのシーケンスは同じでも異なっていてもよい。
【０１３４】
オプションとして、前記送信動作は、サブ帯域で上りリンクＳＲＳを送信することであり、サブ帯域のサイズがネットワーク側によって設定され、１つの基本パラメータによる帯域が１つまたは複数のサブ帯域を有する。
【０１３５】
オプションとして、前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む。
【０１３６】
なお、本実施形態では、前記ネットワーク側装置は、本開示の方法による実施形態における任意のネットワーク側装置とすることができ、本開示の方法による実施形態における任意のネットワーク側装置は、このネットワーク側装置によって実装することができる。同じ有益な効果が達成され、詳細はここでは再度説明されない。
【０１３７】
本出願の実施形態において、開示される方法および装置は、他の方法で実施され得ることを理解されたい。例えば、上記の装置の実施形態は単なる例示であり、例えば、ユニットの区分は論理的な機能区分のみで、実際の実装では、複数のユニットや構成要素を組み合わせたり、 別のシステムに統合することも、一部の機能を無視することも、実行しないこともできる。さらに、本明細書に示されまたは論じられた結合または直接結合または通信接続は、いくつかのインタフェース、デバイスまたはユニットを介する間接的な結合または通信接続であってもよく、電気的、機械的または他の方法であってもよい。
さらに、本開示の様々な実施形態における各機能ユニットは、１つの処理ユニットに統合されてもよく、または各ユニットに物理的に別々に含まれてもよく、さらに、２つ以上のユニットが１つのユニットに統合されてもよい。上記の統合ユニットは、ハードウェアの形態で、またはハードウェアとソフトウェア機能ユニットの形態で具現化することができる。
【０１３８】
ソフトウェア機能ユニットの形態で具現化された統合ユニットは、コンピュータ可読記憶媒体に格納することができる。上記のソフトウェア機能部は、記憶媒体に格納され、コンピュータ装置（パーソナルコンピュータ、サーバ、ネットワーク側のデバイスなど）に、本開示の様々な実施形態の送受信方法のステップの一部を実行させるための複数の命令を含む。上記記憶媒体には、プログラムコードを格納することができるＵディスク、モバイルハードディスク、ＲＯＭ（Ｒｅａｄ−Ｏｎｌｙ Ｍｅｍｏｒｙ）、ＲＡＭ（Ｒａｎｄｏｍ Ａｃｃｅｓｓ Ｍｅｍｏｒｙ）、磁気ディスク、光ディスクなどの媒体が含まれる。
【０１３９】
上記は、本開示の好ましい実施形態であり、当業者は、本開示の原理から逸脱することなく、いくつかの改善および修正を行うことができる。これらの改善および修正は本開示の保護の範囲内である。
【図１】
2019532541.tif 000003
【図２】
2019532541.tif 000004
【図３】
2019532541.tif 000005
【図４】
2019532541.tif 000006
【図５】
2019532541.tif 000007
【図６】
2019532541.tif 000008
【図７】
2019532541.tif 000009
【図８】
2019532541.tif 000010
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
端末が、ネットワーク側の配置に基づいて、複数の基本パラメータを含む広帯域システムにおける上りリンクＳＲＳの送信動作を決定することと、
前記端末が、前記送信動作に従って、前記広帯域システムにおいてネットワーク側に上りリンクＳＲＳを送信することと、を含む
ことを特徴とする上りリンクサウンディング参照信号（ＳＲＳ）送信方法。
【請求項２】
請求項１に記載のＳＲＳ送信方法において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは
上りリンクＳＲＳは、異なる周波数帯域位置において同じサブキャリア間隔を有する１つまたは複数の連続するサブキャリアに配置される
ことを特徴とするＳＲＳ送信方法。
【請求項３】
請求項１に記載のＳＲＳ送信方法において、
前記基本パラメータはサブキャリア間隔を含み、及び／または、
前記配置は、前記ネットワーク側で動的シグナリング、高レベルの準静的シグナリング、または暗黙的な方法によって設定されるものである
ことを特徴とするＳＲＳ送信方法。
【請求項４】
請求項１〜３のいずれか１項に記載のＳＲＳ送信方法において、
前記送信動作は、上りリンクＳＲＳが全帯域で送信されることであり、さらに
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末が、デフォルトで、複数の基本パラメータを含む帯域、１つの基本パラメータによる帯域、または複数の基本パラメータによる帯域で上りリンクＳＲＳを同時送信する、のうち１つまたは複数を含み、及び／または、
前記送信動作は、サブ帯域で上りリンクＳＲＳを送信することであり、サブ帯域のサイズがネットワーク側によって設定され、１つの基本パラメータによる帯域が１つまたは複数のサブ帯域を有し、及び／または、
前記送信動作は、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数をさらに含む
ことを特徴とするＳＲＳ送信方法。
【請求項５】
ネットワーク側装置が配置を端末に送信することにより、前記配置に基づいて、複数の基本パラメータを含む広帯域システムにおける上りリンクＳＲＳの送信動作を前記端末によって決定することと、
前記ネットワーク側装置が、前記広帯域システムにおいて前記端末によって前記送信動作に従って送信された上りリンクＳＲＳを受信することを含む
ことを特徴とする上りリンクサウンディング参照信号（ＳＲＳ）送信方法。
【請求項６】
請求項５に記載のＳＲＳ送信方法において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは、
上りリンクＳＲＳは、異なる周波数帯域位置において同じサブキャリア間隔を有する１つまたは複数の連続するサブキャリアに配置される
ことを特徴とするＳＲＳ送信方法。
【請求項７】
請求項５に記載のＳＲＳ送信方法において、
前記基本パラメータはサブキャリア間隔を含み、及び／または、
前記配置は、前記ネットワーク側装置で動的シグナリング、高レベルの準静的シグナリング、または暗黙的な方法によって設定されるものである
ことを特徴とするＳＲＳ送信方法。
【請求項８】
請求項５〜７のいずれか１項に記載のＳＲＳ送信方法において、
前記送信動作は、上りリンクＳＲＳが全帯域で送信されることであり、さらに、
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含み、及び／または、
前記送信動作は、サブ帯域で上りリンクＳＲＳを送信することであり、サブ帯域のサイズがネットワーク側によって設定され、１つの基本パラメータによる帯域が１つまたは複数のサブ帯域を有し、及び／または、
前記送信動作は、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数をさらに含む
ことを特徴とするＳＲＳ送信方法。
【請求項９】
ネットワーク側の配置に基づいて、複数の基本パラメータを含む広帯域システムにおける上りリンクＳＲＳの送信動作を決定する決定モジュールと、
前記送信動作に従って、前記広帯域システムにおいて上りリンクＳＲＳをネットワーク側に送信する送信モジュールとを備える
ことを特徴とする端末。
【請求項１０】
請求項９に記載の端末において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは、
上りリンクＳＲＳは、異なる周波数帯域位置において同じサブキャリア間隔を有する１つまたは複数の連続するサブキャリアに配置される
ことを特徴とする端末。
【請求項１１】
請求項９に記載の端末において、
前記基本パラメータはサブキャリア間隔を含み、及び／または、
前記配置は、前記ネットワーク側で動的シグナリング、高レベルの準静的シグナリング、または暗黙的な方法によって設定されるものである
ことを特徴とする端末。
【請求項１２】
請求項９〜１１のいずれか１項に記載の端末において、
前記送信動作は、上りリンクＳＲＳが全帯域で送信されることであり、さらに
複数の基本パラメータを含む帯域で上りリンクＳＲＳを同時送信することを許可するか否か、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含み、及び／または、
前記送信動作は、サブ帯域で上りリンクＳＲＳを送信することであり、サブ帯域のサイズがネットワーク側によって設定され、１つの基本パラメータによる帯域が１つまたは複数のサブ帯域を有し、及び／または、
前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む
ことを特徴とする端末。
【請求項１３】
配置を端末に送信することにより、前記配置に基づいて、複数の基本パラメータを含む広帯域システムにおける上りリンクＳＲＳの送信動作を前記端末によって決定する送信モジュールと、
前記広帯域システムにおいて前記端末によって前記送信動作に従って送信された上りリンクＳＲＳを受信する受信モジュールとを備える
ことを特徴とするネットワーク側装置。
【請求項１４】
請求項１３に記載のネットワーク側装置において、
上りリンクＳＲＳは、異なる周波数帯域位置において同じサブキャリア間隔を有する、あるいは、
上りリンクＳＲＳは、異なる周波数帯域位置において異なるサブキャリア間隔を有する、あるいは、
上りリンクＳＲＳは、異なる周波数帯域位置において同じサブキャリア間隔を有する１つまたは複数の連続するサブキャリアに配置され、及び／または、
前記基本パラメータはサブキャリア間隔を含み、及び／または、
前記配置は、前記ネットワーク側装置で動的シグナリング、高レベルの準静的シグナリング、または暗黙的な方法によって設定されるものである
ことを特徴とするネットワーク側装置。
【請求項１５】
請求項１３又は１４に記載のネットワーク側装置において、
前記送信動作は、上りリンクＳＲＳが全帯域で送信されることであり、さらに、
複数の基本パラメータを含む帯域で上りリンクＳＲＳを同時送信することを許可するか否かのこと、
上りリンクＳＲＳを１つの基本パラメータのみによる帯域で送信することを許可する、
上りリンクＳＲＳを複数の基本パラメータによる帯域で送信することを許可する、
前記端末は、デフォルトで、複数の基本パラメータを含む帯域、１つの基本パラメータによる帯域、または複数の基本パラメータによる帯域で上りリンクＳＲＳを同時送信する、のうちの１つまたは複数を含み、及び／または、
前記送信動作は、サブ帯域で上りリンクＳＲＳを送信することであり、サブ帯域のサイズがネットワーク側によって設定され、１つの基本パラメータによる帯域が１つまたは複数のサブ帯域を有し、及び／または、
前記送信動作はさらに、
基本パラメータの異なる複数の帯域間で周波数ホッピングして上りリンクＳＲＳを送信することを許可するか否か、
基本パラメータの同じ複数の帯域間で周波数ホッピングして上りリンクＳＲＳを送信することを許可するか否か、
複数の帯域間で周波数ホッピングするときに上りリンクＳＲＳのシーケンスが同じまたは異なる、のうちの１つまたは複数を含む
ことを特徴とするネットワーク側装置。
【国際調査報告】
2019532541.tif 000011
2019532541.tif 000012
2019532541.tif 000013
2019532541.tif 000014
2019532541.tif 000015